(57)【特許請求の範囲】
【請求項１】
湯水混合水栓等を構成して水または湯水が吐出される吐出口を有した水栓本体に、前記吐出口を囲む円筒形でかつ直線状の浄水器筒を、その基端開口にて斜め上方に向いた状態に一体的に設けるとともに、この浄水器筒内に活性炭等の水浄化物を詰めたカートリッジを、周囲に通水路となる隙間を確保した状態で収納し、前記浄水器筒の他端開口に、前記湯水混合水栓等からの原水と、前記カートリッジを通してきた浄水との切換吐出を行う切換ヘッドを着脱自在に取付け、
さらに、前記カートリッジの底部に形成してある通水孔の内側に逆止弁を配置するとともに、前記切換ヘッドの浄水口に逆流防止弁を収納したことを特徴とする浄水器を有した水栓。
【請求項２】
前記切換ヘッドの、前記浄水器筒側に取付けられる基端側中心に、前記カートリッジの吐出側端部中心に突出形成した支持部が嵌合される位置決め中空突起を形成して、この位置決め中空突起を浄水口に連通させたことを特徴とする請求項１に記載の浄水器を有した水栓。
【請求項３】
前記浄水器筒の底部に、前記カートリッジ内とこのカートリッジの外側とに、前記吐出口から出てくる原水を分流させる分流板を配置するとともに、この分流板に、原水の活性化を行うためのマグネットを設けたことを特徴とする請求項１または請求項２に記載の浄水器を有した水栓。
【発明の詳細な説明】
【０００１】
【産業上の利用分野】
本発明は、湯水混合水栓や水道水の吐水を行うための単なる水栓のような水栓に関するものであり、特に、その水栓本体に浄水器を一体化した水栓に関するものである。
【０００２】
【従来の技術】
水道水等の原水中のゴミ等を取り除き、必要に応じて原水中にミネラル分等の補給を行うようにする浄水器は既に様々なものが提案されている。従来の浄水器は、例えば図１１に示すように、蛇口の先端に取付けたり、あるいは別体の大型のものをキッチンのシンクの下側などに配置して、切換コックを利用して蛇口から浄水が吐出するようにしたものである。
【０００３】
図１１に示した浄化器だと、蛇口を動かして吐出先を変えたとき蛇口と一緒についてくるものだから、狭い台所のシンク内では使用しづらく、場合によっては、この浄化器が邪魔になることもある。一方、シンクの下側に大きな浄水器を配置しようとすると、当然それに伴う配管を施さなければならないことになって、簡単には設置することができない。また、シンクの下側といっても、他に排水管等があって、それ程自由に設置することができないだけでなく、他のものの邪魔にもなる。
【０００４】
すなわち、従来より様々提案されている浄水器には、次に述べるような改良すべき点が、多々あるのである。
（１）（浄水器の個別性による不具合）
従来一般の浄水器は、それだけで既に形が整っている蛇口に余分なものを付けるといったことになったり、別の配管工事を行わなければならなかったりで、例えば台所をスッキリさせることができない。
（２）（浄水器のカートリッジの交換）
ゴミを除去するにせよ、ミネラル分を追加するにせよ、いずれゴミの目詰りやミネラル分の消失が生ずるから、浄水器にはカートリッジを交換可能とする構造を採用しなければならないが、このカートリッジの交換は正しく行わなければならない。この交換作業は、一般人にとってみれば、結構面倒な作業となっている。
（３）（カートリッジのシンプル化）
浄水器において使用されるカートリッジは消耗品であるため、簡単に製造することができて、交換作業が容易でなければならない。
そこで、本発明者等は、この種の浄水器をより使い易く、しかも設置されることの多い台所等において、スッキリとさせることができるようにするにはどうしたらよいか、について様々検討を重ねてきた結果、本発明を完成したのである。
【０００５】
【発明が解決しようとする課題】
本発明は、以上の浄水器における改良すべき点に鑑みてなされたもので、その解決しようとする課題は、浄水器における様々な問題を解決することのできる水栓を提供することにある。
【０００６】
すなわち、まず請求項１に係る発明の目的とするところは、浄水器を一体的に組み込んでしまうことにより、台所等をスッキリしたものとすることができて、浄水器のためのカートリッジ交換が簡単に行え、しかも原水と浄水との切換え操作を確実に行うことのできる浄水器を有した水栓を、簡単な構造によって提供することにある。
【０００７】
また、請求項２に係る発明の目的とするところは、上記請求項１と同様な目的を達成することができる他、カートリッジ交換の際の位置決めを簡単に行うことのできる浄水器を有した水栓を提供することにある。
【０００８】
さらに、請求項３に係る発明の目的とするところは、上記請求項１または請求項２と同様な目的を達成することができる他、原水の浄化の一種としての「磁力による水の活性化」をも行うことのできる浄水器を有した水栓を提供することにある。
【０００９】
（削除）
【００１０】
【課題を解決するための手段】
以上の課題を解決するために、まず請求項１に係る発明の採った手段は、後述する実施形態の説明中において使用する符号を付して説明すると、
【００１１】
「湯水混合水栓１０等を構成して水または湯水が吐出される吐出口１２を有した水栓本体１１に、吐出口１２を囲む円筒形でかつ直線状の浄水器筒２１を、その基端開口２２にて斜め上方に向いた状態に一体的に設けるとともに、この浄水器筒２１内に活性炭等の水浄化物を詰めたカートリッジ３０を、周囲に通水路２８となる隙間を確保した状態で収納し、浄水器筒２１の他端開口２３に、湯水混合水栓１０等からの原水と、カートリッジ３０を通してきた浄水との切換吐出を行う切換ヘッド４０を着脱自在に取付け、
さらに、カートリッジ３０の底部３２に形成してある通水孔３２ａの内側に逆止弁３３を配置するとともに、切換ヘッド４０の浄水口４２に逆流防止弁４２ａを収納したことを特徴とする浄水器２０を有した水栓１００」
である。
【００１２】
すなわち、この請求項１に係る水栓１００は、図１にも示すように、シンク２００の天板２１０に取付けられる湯水混合水栓１０等と、その水栓本体１１に、基端開口２２にて水栓本体１１に形成してある吐出口１２を囲むように取り付けた浄水器筒２１と、この浄水器筒２１内に収納したカートリッジ３０と、浄水器筒２１の他端開口２３に取付けた切換ヘッド４０とからなるものであり、要するに、浄水器筒２１とその中に収納したカートリッジ３０とからなる浄水器２０を湯水混合水栓１０等に一体的に設けたものである。
【００１３】
そして、この水栓１００は、その湯水混合水栓１０等から送り出されてきた「原水」（通常水栓等の水機器の上流側にある水道水を原水というが、以下では、浄化されていない元の水という意味で使用することとする）を、浄水器筒２１とカートリッジ３０間に形成されている通水路２８を通したときには原水のままとし、カートリッジ３０内を通したときにはこれを「浄水」とするものである。
【００１４】
湯水混合水栓１０等の吐出口１２からの原水を、「原水」のままとするか「浄水」とするかは、切換ヘッド４０の切換レバー４６によって選択される。すなわち、切換ヘッド４０側の切換レバー４６を回動操作して、これによって回動される浄水切換弁体４６ａを、図８の（ａ）に示す位置に配置することにより、浄水の浄水口４２からの吐出が停止される。このとき、原水切換弁体４６ｂは、図９の（ａ）に示す位置となり、吐水口４３またはシャワー口４４に連通する原水室４１ａを介して、当該切換ヘッド４０内は、浄水器２０の浄水器筒２１とカートリッジ３０との間に形成してある通水路２８に連通することになる。つまり、湯水混合水栓１０からの原水は、カートリッジ３０の外周を通って切換ヘッド４０内に入り、この切換ヘッド４０の吐水口４３またはシャワー口４４から吐出されることになるのである。勿論、このときは、カートリッジ３０内に水の流れが生ずることはなく、浄水口４２からの浄水の吐出はなされない。
【００１５】
以上とは逆に、今度は、切換ヘッド４０の浄水口４２から浄水を吐出させたい場合には、切換ヘッド４０側の切換レバー４６を前述したのとは反対側に回動操作して、これによって回動される浄水切換弁体４６ａを、図８の（ｂ）に示した位置に配置する。これにより、浄水が浄水口４２から吐出されるとともに、原水切換弁体４６ｂが図９の（ｂ）に示した位置となり、当該切換ヘッド４０内はカートリッジ３０内に連通することになる。つまり、湯水混合水栓１０からの原水はカートリッジ３０内に入ってその浄化等がなされ、その後切換ヘッド４０内に入って浄水口４２から吐出されることになるのである。勿論、このときには、原水が浄水器２０側の通水路２８内を通ることはなく、吐水口４３またはシャワー口４４から吐出することはない。
【００１６】
提言すれば、切換ヘッド４０に設けてある切換レバー４６の原水吐出または浄水吐出方向への回動を行うことによって、当該切換ヘッド４０からは、その選択されたいずれかの吐出がなされることになる。なお、止水は、湯水混合水栓１０側の操作レバー１４によって行われるものであり、本水栓１００を使用する前提として、操作レバー１４の吐水または止水操作がある。勿論、この操作レバー１４の操作によって、湯水混合水栓１０における湯水混合による温度調整がなされる。
【００１７】
以上の水栓１００は、図１にも示すように、その湯水混合水栓１０と切換ヘッド４０との間の浄水器２０が直線状になっていることもあって、これを設置した台所のシンク２００の周囲をスッキリしたものとし得るのであり、図１１に示した蛇口が少し太くなって浄水器２０となっただけで、他の物やシンク２００での作業の邪魔になることはないのである。
【００１８】
また、この水栓１００は、その湯水混合水栓１０の前面側に浄水器２０を一体化したものであり、かつこの浄水器２０の先端側に、浄水口４２、吐水口４３またはシャワー口４４を有した切換ヘッド４０を設けたものであるから、この切換ヘッド４０は、連結スリーブ４１ｃを浄水器筒２１の先端にて回動することにより簡単に取外すことができ、浄水器２０を構成しているカートリッジ３０の交換が非常に簡単に行えるのである。
【００１９】
さらに、切換ヘッド４０にての吐出の切替えは、浄水器２０における原水の通水路２８やカートリッジ３０内を原水等が直線的に流れる構造のものとしてあるから、その直線の先にあることになる切換ヘッド４０での切換操作が、手をちょっと伸ばすだけで行えることは勿論、内部での切換えを確実かつ簡単に行えるようになっているのである。また、浄水器２０を構成するカートリッジ３０には、図２〜図４に示したように、その外筒３１の図示下方部分に底部３２が設けてあり、この底部３２の中心に形成した通水孔３２ａから以外は、当該底部３２内に原水が流れ込まないようにしてある。そして、この底部３２に形成してある通水孔３２ａの内側には、特に図３にて示したように、逆止弁３３が配置してあり、この逆止弁３３によって、当該カートリッジ３０内から水が分流板２５側に逆流しないようにしてある。さらに、本実施形態においては、その切換ヘッド４０の浄水口４２に逆流防止弁４２ａ収納してあるから、図示しないホースを接続した器外装置からの圧力がかかったときに、この逆流防止弁４２ａによって浄水口４２から出た浄水が汚水となって切換ヘッド４０内に逆流しないようにするのが防止されている。
【００２０】
従って、この請求項１の水栓１００は、台所等をスッキリしたものとすることができて、浄水器２０のためのカートリッジ交換３０が簡単に行え、しかも原水と浄水との切換え操作を確実に行えるのである。
【００２１】
また、上記課題を解決するために、請求項２に係る発明の採った手段は、上記請求項１の水栓１００について、
「切換ヘッド４０の、浄水器筒２１側に取付けられる基端側中心に、カートリッジ３０の吐出側端部中心に突出形成した支持部３６が嵌合される位置決め中空突起４５を形成して、この位置決め中空突起４５を浄水口４２に連通させたこと」
である。
【００２２】
すなわち、この請求項２の水栓１００は、その浄水器２０を構成するカートリッジ３０に支持部３６を形成しておいて、この支持部３６が、浄水器筒２１の先端に切換ヘッド４０を取付けたときに、この切換ヘッド４０に形成してある位置決め中空突起４５に内嵌合または外嵌合されるようにしたものであり、これによって、交換後のカートリッジ３０の浄水器筒２１内での位置決めを自動的に行えるようにしたものである。
【００２３】
従って、この請求項２の水栓１００は、上記請求項１と同様な機能を有している他、カートリッジ３０交換の際の位置決めを簡単に行えるのである。
【００２４】
さらに、請求項３に係る発明の採った手段は、上記請求項１または請求項２に係る水栓１００について、
「浄水器筒２１の底部に、カートリッジ３０内とこのカートリッジ３０の外側とに、吐出口１２から出てくる原水を分流させる分流板２５を配置するとともに、この分流板２５に、原水の活性化を行うためのマグネット２７を設けたこと」である。
【００２５】
すなわち、この請求項３の水栓１００は、図２及び図３に示すように、その浄水器２０を構成する浄水器筒２１の底部に、まず、カートリッジ３０内とこのカートリッジ３０の外側とに、吐出口１２から出てくる原水を分流させる分流板２５を配置し、この分流板２５に、原水の活性化を行うためのマグネット２７を設けたものである。
【００２６】
分流板２５は、図３にも示したように、湯水混合水栓１０側の吐出口１２に対向するように、浄水器筒２１の底部に一体的に組込んだものであり、この分流板２５の中心部の周囲には、浄水器筒２１の直ぐ内側に原水を供給するための通水口２６ａが形成してある。また、この分流板２５の中心部には、原水を後述するカートリッジ３０内に供給するための通水口２６ｂが形成してあり、これらの通水口２６ｂ及び通水口２６ａとの間には、マグネット２７が取付けてある。
【００２７】
従って、この請求項３に係る水栓１００は、上記請求項１または請求項２と同様な機能を発揮する他、分流板２５に形成してある通水口２６ａまたは通水口２６ｂ内を原水が通ると、これらの通水口２６ｂ及び通水口２６ａとの間に取付けてあるマグネット２７によって、原水の浄化の一種としての「磁力による水の活性化」が行われることになるのである。
【００２８】
そして、上記の請求項１〜請求項３のいずれかの水栓に適用することができて、交換が容易に行え、しかも、交換の際の位置決めを簡単に行うことのできる浄水器用のカートリッジとしては、
「湯水混合水栓１０等の吐出口１２を囲むように、当該湯水混合水栓１０等の水栓本体１１に基端開口２２にて一体化した浄水器筒２１内に収納され、この浄水器筒２１の内径より僅かに小径で内部に活性炭等の浄化物を収納するとともに、浄化器筒２１の他端開口２３に取付けられる切換ヘッド４０側に設けた位置決め中空突起４５を嵌合することになる支持部を有したものとするとともに、
さらに、カートリッジ３０の底部３２に形成してある通水孔３２ａの内側に逆止弁３３を配置したことを特徴とする浄水器２０用のカートリッジ３０」
とすることができるものである。
【００２９】
すなわち、このカートリッジ３０は、前述した請求項１〜請求項３のいずれかに係る水栓１００に適用されるものであり、図４に示すように、直線状の外筒３１内に粒状活性炭層３４及びセラミック層３５を直線的に収納したものである。そして、このカートリッジ３０は、外筒３１の先端側に、切換ヘッド４０側の位置決め中空突起４５によって支持されることになる支持部３６を形成したものである。
【００３０】
このカートリッジ３０に設けた支持部３６は、切換ヘッド４０側の位置決め中空突起４５に内嵌合または外嵌合されるものであり、両者が嵌合し合ったときは、カートリッジ３０と切換ヘッド４０とは互いに一体化されることになる。また、浄水器２０を構成するカートリッジ３０は、図２〜図４に示したように、その外筒３１の図示下方部分に底部３２が設けてあり、この底部３２の中心に形成した通水孔３２ａから以外は、当該底部３２内に原水が流れ込まないようにしてある。そして、この底部３２に形成してある通水孔３２ａの内側には、特に図３にて示したように、逆止弁３３が配置してあり、この逆止弁３３によって、当該カートリッジ３０内から水が分流板２５側に逆流しないようにしてある。
【００３１】
従って、このカートリッジ３０は、浄水器筒２１の先端から切換ヘッド４０を取り外して引けば、この切換ヘッド４０と一体となって浄水器筒２１から引き出されることになり、浄水器筒２１からの取出しが簡単に行えるのである。また、逆に新たなカートリッジ３０を浄水器筒２１内に挿入することは、両者が直線状となっているため簡単に行えるだけでなく、切換ヘッド４０を浄水器筒２１の先端に取付けたときには、切換ヘッド４０の位置決め中空突起４５内に支持部３６が嵌合されることになって位置決めがなされるのである。つまり、当該カートリッジ３０の交換は、非常に簡単に行え、浄水器筒２１内での位置決めも自動的に行えるのである。
【００３２】
【発明の実施の形態】
次に、以上のように構成した各請求項に係る発明を、図面に示した実施の形態である水栓１００について説明するが、この実施形態の水栓１００は、上記各発明を実質的に含むものであるため、以下では、この実施形態の水栓１００を中心に説明していくこととする。
【００３３】
さて、図１には、本発明に係る水栓１００を、台所に設置されるシンク２００に取付けた状態が示してあり、この水栓１００は、シンク２００の天板２１０に直接取付けられることになる湯水混合水栓１０と、この湯水混合水栓１０の水栓本体１１の前面に一体化した浄水器筒２１とこの中に収納されるカートリッジ３０とにより構成される浄水器２０と、この浄水器２０を構成している浄水器筒２１の先端に取付けられる切換ヘッド４０とからなっているものである。
【００３４】
なお、この実施形態における湯水混合水栓１０は、図２にも示したように、天板２１０下側にまで配管されている２本の給水または給湯管１３にそれぞれ連結されるものであって、文字通り、湯水を混合して浄水器２０側に送り出すようにしたものであるが、単に水道水の止水や吐水を行えるようにしただけの水栓であってもよいものである。また、この湯水混合水栓１０における吐水や止水、そして湯温調整は、図２に示した操作レバー１４によって、通常のもののように行われるものである。
【００３５】
この湯水混合水栓１０の水栓本体１１には、その水栓本体１１に形成した吐出口１２に、通常であれば、図１１に示したような蛇口が取付けられるのであるが、この水栓１００では、この水栓本体１１に、その吐出口１２を基端開口２２にて囲むようにした浄水器筒２１が一体的に形成してある。この浄水器筒２１は、完全な円筒状のものであって、しかも水栓本体１１から斜め上方に向けた直線状のものとして形成したものである。
【００３６】
この浄水器筒２１の内底側には、図２または図３に示したように、湯水混合水栓１０側の吐出口１２に対向することになる分流板２５が一体的に組込んであり、この分流板２５の中心部の周囲には、浄水器筒２１の直ぐ内側に原水を供給するための通水口２６ａが形成してある。また、この分流板２５の中心部には、原水を後述するカートリッジ３０内に供給するための通水口２６ｂが形成してあり、これらの通水口２６ｂ及び通水口２６ａとの間には、マグネット２７が取付けてある。さらに、この浄水器筒２１の他端開口２３の外周面には、後述する切換ヘッド４０を取付けるための取付ネジ２４が形成してある。
【００３７】
以上のようにした浄水器筒２１と、その中に収納されるカートリッジ３０によって湯水混合水栓１０に一体化された浄水器２０を構成することになるのであるが、特に、カートリッジ３０は消耗品でもあるため、浄水器筒２１内に簡単に収納できる直線状のものとしてある。このカートリッジ３０は、本実施形態のものの場合、その外筒３１内に粒状活性炭層３４とセラミック層３５とを組込んだものであるが、これらに限らず種々なものを採用することができるものである。
【００３８】
また、浄水器２０を構成するカートリッジ３０は、図２〜図４に示したように、その外筒３１の図示下方部分に底部３２が設けてあり、この底部３２の中心に形成した通水孔３２ａから以外は、当該底部３２内に原水が流れ込まないようにしてある。そして、この底部３２に形成してある通水孔３２ａの内側には、特に図３にて示したように、逆止弁３３が配置してあり、この逆止弁３３によって、当該カートリッジ３０内から水が分流板２５側に逆流しないようにしてある。
【００３９】
さらに、このカートリッジ３０を形成している外筒３１の上端側（図３では図示右側端部）には支持部３６が一体的に形成してあり、この支持部３６は、外筒３１内を外部に連通させることになる吐出口３６ａが形成してある。この吐出口３６ａは、円筒状に形成したカートリッジ３０の上端の中心に形成したものである。すなわち、この吐出口３６ａを有する支持部３６は、これを外筒３１の中心に配置したときには、外筒３１と浄水器筒２１との間に僅かな隙間、つまり通水路２８が形成できるようにするものであるとともに、切換ヘッド４０側への浄水の流路を形成することになるものである。
【００４０】
切換ヘッド４０は、図２及び図５に示したように、浄水器２０を構成する浄水器筒２１の先端に形成した取付ネジ２４に螺着されるものであり、浄水器２０の通水路２８を通してきた原水をヘッド本体４１の先端下面に形成した吐水口４３またはシャワー口４４から吐出させたり、カートリッジ３０にて形成された浄水を、吐水口４３の後側に形成してある浄水口４２から吐出させたりするものである。これらの操作、言わば切換は、ヘッド本体４１の右側に形成してある切換レバー４６によって行えるようにしてある。なお、原水は、ヘッド本体４１に形成してある吐水口４３またはシャワー口４４から吐出させるものであるが、その切換えは、ヘッド本体４１の正面に設けてあるシャワー切換ノブ４７によって行われるものである。
【００４１】
以上の選択切換えが行えるように、当該切換ヘッド４０のヘッド本体４１内には、図５〜図７に示すような各通路及び部屋が形成してある。これらの通路等の関係を、浄水及び原水の流れの順に説明すると、次の通りである。
【００４２】
まず、図５に示したように、ヘッド本体４１の図示右側（図２では図示左側）には、その中心に位置決め中空突起４５が一体的に突出形成してあり、この位置決め中空突起４５の周囲には、原水室４１ａを介して円筒状の壁がめぐらせてあって、この壁の外側には、連結スリーブ４１ｃが回転可能でかつ抜け止めされた状態で組付けてある。この連結スリーブ４１ｃは、浄水器２０を構成している浄水器筒２１の先端外周に形成した取付ネジ２４に螺着されるものであり、螺着後は、当該切換ヘッド４０を浄水器筒２１の他端開口２３にしっかりと取付けることになるものである。
【００４３】
この切換ヘッド４０の浄水器筒２１に対する連結が行われる際には、位置決め中空突起４５にたいしてカートリッジ３０側の支持部３６が内または外嵌合されるのであり、これにより、カートリッジ３０の浄水器筒２１内に対する位置決めが自動的になされるとともに、カートリッジ３０内が位置決め中空突起４５内の浄水室４１ｂに連通することになるのである。また、この位置決め中空突起４５に形成してある浄水室４１ｂは、図５及び図７に示したように、切換レバー４６によって回転操作される切換本体４６ｂが収納してある切換室４６ｃに連通していて、この切換室４６ｃを介して位置決め中空突起４５内は浄水口４２に連通しているのである。
【００４４】
ヘッド本体４１と浄水口４２との間にある切換室４６ｃ内には、図５及び図７に示したように、浄水切換弁体４６ａが配置してあり、この浄水切換弁体４６ａは切換レバー４６の操作によって、切換室４６ｃ内を回転するものである。この浄水切換弁体４６ａが、図５及び図８の（ｂ）に示した位置にあれば、位置決め中空突起４５と浄水口４２とは連通することになるものであり、原水側通路は、図７及び図９の（ｂ）に示したように、原水切換弁体４６ｂによって遮断されることになる。このため、湯水混合水栓１０側にて形成された湯水は、カートリッジ３０内を通って浄化され、このカートリッジ３０を支持している位置決め中空突起４５を通して浄水口４２から吐出されることになるのである。勿論、浄水切換弁体４６ａが、図８の（ａ）に示した位置になれば、浄水の浄水口４２からの吐出は停止される。
【００４５】
なお、本実施形態の浄水口４２においては、図６に示したように、逆流防止弁４２ａが収納してあり、この逆流防止弁４２ａの先には、吐出する浄水の整流を行う金網４２ｂが収納してある。この浄水口４２には、図示しないホースが接続されることがあって、このホースを接続した図示しない器外装置からの圧力がかかったときに、浄水口４２から出た浄水が汚水となって切換ヘッド４０内に逆流しないようにするのが、前述した逆流防止弁４２ａなのである。
【００４６】
さて、次に原水の流れについてであるが、位置決め中空突起４５の外周囲には、図５及び図７に示したように、原水室４１ａが形成してあって、この原水室４１ａは、図２に示したように、浄水器２０を構成している浄水器筒２１とカートリッジ３０との間に形成した通水路２８に連通しているものである。また、この原水室４１ａの他端は、図７に示したように、切換室４６ｃ内に部分的に連通しているものである。この切換室４６ｃ内に配置してある切換本体４６ｄには、図７に示したように、原水切換弁体４６ｂが設けてあり、この原水切換弁体４６ｂが図９の（ａ）に示した位置にあれば、原水室４１ａと吐水口４３またはシャワー口４４とは連通することになるものであり、浄水側通路は、図８の（ａ）に示したように、浄水切換弁体４６ａによって遮断されることになる。このため、湯水混合水栓１０側にて形成された湯水は、通水路２８から原水室４１ａを通って、吐水口４３またはシャワー口４４から原水が吐出されることになるのである。勿論、切換レバー４６によって原水切換弁体４６ｂが図９の（ｂ）に示した位置になければ、吐水口４３またはシャワー口４４からの原水の吐出は停止される。
【００４７】
本実施形態のものでは原水吐出は吐水口４３またはシャワー口４４からなされるものであり、その切換は、図５にも示したシャワー切換ノブ４７によってなされる。すなわち、このシャワー切換ノブ４７によって、球状の切換弁４７ａが移動されるのであり、この切換弁４７ａが、図１０の（ａ）に示した位置になったときには、原水は吐水口４３から吐出されることになり、図１０の（ｂ）に示した位置になったときにはシャワー口４４から吐出されることになるものである。
【００４８】
【発明の効果】
以上、詳述した通り、まず請求項１に係る発明においては、上記実施の形態にて例示した如く、
「湯水混合水栓１０等を構成して水または湯水が吐出される吐出口１２を有した水栓本体１１に、吐出口１２を囲む円筒形でかつ直線状の浄水器筒２１を、その基端開口２２にて斜め上方に向いた状態に一体的に設けるとともに、この浄水器筒２１内に活性炭等の水浄化物を詰めたカートリッジ３０を、周囲に通水路２８となる隙間を確保した状態で収納し、浄水器筒２１の他端開口２３に、湯水混合水栓１０等からの原水と、カートリッジ３０を通してきた浄水との切換吐出を行う切換ヘッド４０を着脱自在に取付け、
さらに、カートリッジ３０の底部３２に形成してある通水孔３２ａの内側に逆止弁３３を配置するとともに、切換ヘッド４０の浄水口４２に逆流防止弁４２ａを収納したことを特徴とする浄水器２０を有した水栓１００」
にその構成上の特徴があり、これにより、浄水器２０を一体的に組み込んでしまうことにより、台所等をスッキリしたものとすることができて、浄水器２０のためのカートリッジ３０交換が簡単に行え、しかも原水と浄水との切換え操作を確実に行うことができるのである。
【００４９】
すなわち、この請求項１に係る水栓１００によれば、
（１）浄水器筒２１及びカートリッジ３０からなる浄水器２０が一体化されたものであるから、浄水器２０のための特別な配管が全く不要であり、図１にも示したように、台所をスッキリしたものとすることができる。
（２）カートリッジ３０を取外して交換した後において、切換ヘッド４０を浄水器筒２１に連結すれば、カートリッジ３０の浄水器筒２１に対する正しい位置決めが自動的になされ、カートリッジ３０の交換作業を簡単でかつ正確に行うことができる。
（３）消耗品であるカートリッジ３０を、構造の簡単なものとすることができ、従って、その交換を簡単に行えるようにすることができる。
といった効果を発揮することができるのである。
【００５０】
以上の水栓１００を、請求項２の発明のように、
「切換ヘッド４０の、浄水器筒２１側に取付けられる基端側中心に、カートリッジ３０の吐出側端部中心に突出形成した支持部３６が嵌合される位置決め中空突起４５を形成して、この位置決め中空突起４５を浄水口４２に連通させた」場合には、上記請求項１の水栓１００と同様な効果を発揮する他、交換後のカートリッジ３０の浄水器筒２１内での位置決めを自動的に行うことができるのである。
【００５１】
さらに、請求項３の水栓１００においては、上記請求項１または請求項２の水栓１００について、
「浄水器筒２１の底部に、カートリッジ３０内とこのカートリッジ３０の外側とに、吐出口１２から出てくる原水を分流させる分流板２５を配置するとともに、この分流板２５に、原水の活性化を行うためのマグネット２７を設けたこと」にその構成上の特徴があり、これにより、上記請求項１または請求項２と同様な効果を発揮することができる他、通水口２６ｂ及び通水口２６ａとの間に取付けてあるマグネット２７によって、原水の浄化の一種としての「磁力による水の活性化」を行うことができるのである。
【００５２】
（削除）
【図面の簡単な説明】
【図１】本発明に係る水栓を取付けたシンクの斜視図である。
【図２】同水栓の縦断面図である。
【図３】同水栓の部分拡大断面図である。
【図４】同水栓に使用するカートリッジの拡大断面図である。
【図５】同水栓を構成する切換ヘッドの拡大断面図である。
【図６】同切換ヘッドに形成してある浄水口の拡大断面図である。
【図７】図５の１−１線に沿ってみた部分断面図である。
【図８】同水栓に使用されている浄水切換弁体の作用を示す図７の３−３線に沿ってみたもので、（ａ）は浄水を止水したときを、（ｂ）は浄水を浄水口から吐出するときの状態を示す部分拡大断面図である。
【図９】同水栓に使用されている原水切換弁体の作用を示す図７の２−２線に沿ってみたもので、（ａ）は原水の通水を行っているときの、（ｂ）は止水しているときの状態を示す部分拡大断面図である。
【図１０】シャワー切換ノブによって吐水口またはシャワー口の切換を行う様子を示すもので、（ａ）は吐水口からの、（ｂ）はシャワー口からの通水を可能にする状態を示した弁座の拡大平面図である。
【図１１】従来の浄水器を示す斜視図である。
【符号の説明】
１００    水栓
１０      湯水混合水栓
１１      水栓本体
１２      吐出口
１３      給水または給湯管
１４      操作レバー
２０      浄水器
２１      浄水器筒
２２      基端開口
２３      他端開口
２４      取付ネジ
２５      分流板
２６ａ    通水口
２６ｂ    通水口
２７      マグネット
２８      通水路
３０      カートリッジ
３１      外筒
３２      底部
３２ａ    通水孔
３３      逆止弁
３４      粒状活性炭層
３５      セラミック層
３６      支持部
３６ａ    吐出口
４０      切換ヘッド
４１      ヘッド本体
４１ａ    原水室
４１ｂ    浄水室
４１ｃ    連結スリーブ
４２      浄水口
４２ａ    逆流防止弁
４２ｂ    金網
４３      吐水口
４４      シャワー口
４５      位置決め中空突起
４６      切換レバー
４６ａ    浄水切換弁体
４６ｂ    原水切換弁体
４６ｃ    切換室
４６ｄ    切換本体
４７      シャワー切換ノブ
４７ａ    切換弁
２００    シンク
２１０    天板
【図１】
0003569821.tif 000002
【図２】
0003569821.tif 000003
【図３】
0003569821.tif 000004
【図４】
0003569821.tif 000005
【図５】
0003569821.tif 000006
【図６】
0003569821.tif 000007
【図７】
0003569821.tif 000008
【図８】
0003569821.tif 000009
【図９】
0003569821.tif 000010
【図１０】
0003569821.tif 000011
【図１１】
0003569821.tif 000012